(57)【要約】      （修正有）【課題】目の不自由の人であっても電子機器の差込口への差込み向きを容易に判断することができるＵＳＢ機器及びＵＳＢ接続ユニットを提供する。【解決手段】ＵＳＢ機器１は、本体２と、本体から突出して設けられ、電子機器の受入側コネクタに差込み可能な差込側コネクタ３とを備え、本体に、差込み向きを示す第１の突起１０を設ける。ＵＳＢ接続ユニットは、このＵＳＢ機器と受入側コネクタを備えた電子機器とを含み、受入側コネクタの近傍に、第１の突起と同じ構成で差込側コネクタの差込み向きを示す第２の突起を設ける。【選択図】図１
0003230202.tif 000002
【実用新案登録請求の範囲】
【請求項１】
本体と、前記本体から突出して設けられ、電子機器の受入側コネクタに差込み可能な差込側コネクタとを備え、前記差込側コネクタの前記受入側コネクタへの差込み向きが決まっているＵＳＢ機器において、
前記本体に、前記差込み向きを示す第１の突起を設けたことを特徴とするＵＳＢ機器。
【請求項２】
前記第１の突起は、点字の形状に形成したことを特徴とする請求項１に記載のＵＳＢ機器。
【請求項３】
前記第１の突起は、前記差込み向きを意味する点字で構成したことを特徴とする請求項１または２に記載のＵＳＢ機器。
【請求項４】
前記第１の突起は、前記差込側コネクタの先端形状を模した凸条部で構成したことを特徴とする請求項１に記載のＵＳＢ機器。
【請求項５】
前記第１の突起は、弾性部材で構成したことを特徴とする請求項１〜４のいずれかに記載のＵＳＢ機器。
【請求項６】
前記第１の突起は、摩擦係数が大きい形状に形成したことを特徴とする請求項１〜５のいずれかに記載のＵＳＢ機器。
【請求項７】
請求項１〜６のいずれかのＵＳＢ機器と、前記ＵＳＢ機器の前記差込側コネクタが差込み可能な受入側コネクタを備えた電子機器とを含むＵＳＢ接続ユニットにおいて、前記電子機器の受入側コネクタの近傍に、前記第１の突起と同じ構成で且つ前記差込側コネクタが差込まれる向きを示す第２の突起を設けたことを特徴とするＵＳＢ接続ユニット。
【考案の詳細な説明】
【技術分野】
【０００１】
本考案は、ＵＳＢケーブルやＵＳＢメモリなどのＵＳＢ機器及びＵＳＢ接続ユニットに関する。
【背景技術】
【０００２】
この種のＵＳＢ（Universal Serial Bus）機器としては、電子機器への差込み向きが決まっているものがほとんどであるが、差込み向きが決まっていると、誤挿入の虞がある。
【０００３】
特許文献１には、誤挿入を防止する構造が開示されている。
【先行技術文献】
【特許文献】
【０００４】
【特許文献１】特開２０１２−２０３９８０号
【考案の開示】
【考案が解決しようとする課題】
【０００５】
しかしながら、たとえ誤挿入が防止できても、正しい向きに差込むには、差込み向きを逆にする動作が必要となる。
【０００６】
特に、たとえばＵＳＢタイプＡなどは差込み向きが分かり難いため、適当に差込むと間違って入らないことが多く、その都度、差込み向きを逆にする動作が必要となる。その上、この動作を毎日何度も行うのは煩わしい。
【０００７】
本考案は、上記事情に基づいてなされたもので、その目的とするところは、目の不自由な人であっても電子機器への差込み向きを容易に判断することができるＵＳＢ機器を提供することにある。
【課題を解決するための手段】
【０００８】
上記課題を解決するために、本考案は、本体と、この本体から突出して設けられ、電子機器の受入側コネクタに差込み可能な差込側コネクタとを備え、この差込側コネクタの受入側コネクタへの差込み向きが決まっているＵＳＢ機器において、本体に、差込み向きを示す第１の突起を設けたことを特徴とするものである。
【０００９】
第１の突起は、点字の形状に形成するのが好ましい。
【００１０】
また、第１の突起は、差込み向きを意味する点字で構成してもよく、差込側コネクタの先端形状を模した凸条部で構成してもよい。
【００１１】
さらに、第１の突起は、弾性部材で構成してもよく、摩擦係数が大きい形状に形成してもよい。
【００１２】
また、本考案は、請求項１〜６のいずれかのＵＳＢ機器の差込側コネクタが差込み可能な受入側コネクタを備えた電子機器において、受入側コネクタの近傍に、第１の突起と同じ構成で且つ差込側コネクタが差込まれる向きを示す第２の突起を設けたことを特徴とするものである。
【考案の効果】
【００１３】
本考案によれば、目の不自由の人であっても電子機器の差込口への差込み向きを容易に判断することができる。
【図面の簡単な説明】
【００１４】
図面は、本開示に係る本発明の特定の実施の形態を示し、発明の不可欠な構成ばかりでなく、選択的及び好ましい実施の形態を含む。
【図１】本考案の第１実施形態に係るＵＳＢケーブルを示す斜視図。
【図２】同ＵＳＢケーブルが差込まれるアダプターを示す斜視図。
【図３】同ＵＳＢケーブルとアダプターの差込みを説明するための斜視図。
【図４】同アダプターの変形例を示す斜視図。
【図５】本考案の第２実施形態に係るＵＳＢケーブルの要部を示す平面図。
【図６】本考案の第３実施形態に係るＵＳＢケーブルの要部を示す平面図。
【図７】本考案の第４実施形態に係るＵＳＢケーブルの要部を示す縦断面図。
【図８】本考案の第５実施形態に係るＵＳＢケーブルの要部を示す下面図。
【図９】本考案の第６実施形態に係るＵＳＢケーブルの要部を示す斜視図。
【考案を実施するための形態】
【００１５】
以下、図面を参照しながら本考案の実施形態について説明する。
【００１６】
＜第１実施形態＞
図１は、本考案の第１実施例に係るＵＳＢ（Universal Serial Bus）機器の一例としてＵＳＢケーブル１を示している。
【００１７】
このＵＳＢケーブル１は、樹脂成型体のＵＳＢ本体２を備えている。
【００１８】
このＵＳＢ本体（本体）２の一端には差込側コネクタ３が設けられ、他端にはケーブル４が取付けられている。
【００１９】
この差込側コネクタ３は、ＵＳＢ本体２の一端から突出して設けられた端子５と、この端子５を覆う金属性のカバー６とを備えている。
【００２０】
端子５は、片面に電極７…が露出して設けられ、この電極７…はケーブル４に電気的に接続されている。ここで、この電極７…が露出して設けられた側をＵＳＢケーブル１の表側、反対側を裏側と定義する。
【００２１】
カバー６は、筒状且つ断面矩形状に形成され、筒状の基端がＵＳＢ本体２の端部に固定され、先端が矩形状（先端形状）の開口部８となっている。
【００２２】
このカバー６の表側には、窓９，９が設けられ、電極…が覗けるようになっている。
【００２３】
また、ＵＳＢ本体２の表側には、差込側コネクタ３の差込み向きを少なくとも目の不自由な人に知らせるための点字状突起（第１の突起）１０が設けられている。
【００２４】
この点字状突起１０は、点字の形状を模したドーム状にＵＳＢ本体２と一体成型かつ同一色で形成されている。
【００２５】
図２は、このＵＳＢケーブル１の差込側コネクタ３が差込まれるアダプター（電子機器）１１を示している。本発明において、ＵＳＢケーブル１とアダプター１１とを含むユニットをＵＳＢ接続ユニット１００と称する。
【００２６】
このアダプター１１は、樹脂成型体のアダプター本体１２を備えている。
【００２７】
このアダプター本体１２の一端側に、差込側コネクタ３が差込まれる受入側コネクタ１３が設けられ、他端側にコンセントに差し込まれる一対の栓刃１４，１４が設けられている。
【００２８】
受入側コネクタ１３は、差込側コネクタ３のカバー６の形状に対応して筒状且つ断面矩形状に形成された受入孔１５を有している。
【００２９】
この受入孔１５の内部には、端子１６が設けられ、この端子１６の片面には電極１７…が露出して設けられている。この電極１７…は、栓刃１４，１４に電気的に接続されている。ここで、この電極１７…が露出して設けられた側をアダプター１１の裏側、反対側を表側と定義する。
【００３０】
アダプター本体１２の受入孔１５が設けられた端面には、受入孔１５の表側に、差込側コネクタ３が差込まれる向きを知らせるため且つＵＳＢケーブル１の点字状突起１０と同じ形状の点字状突起（第２の突起）１８が設けられている。この点字状突起１８もアダプター本体１２と一体成型かつ同一色で形成されている。
【００３１】
このように構成されたＵＳＢケーブル１とアダプター１１とを含むＵＳＢ接続ユニット１００は、図３に示すように、ＵＳＢケーブル１の点字状突起１０がアダプター１１の点字状突起１８の側になるように、ＵＳＢケーブル１の差込側コネクタ３がアダプター１１の受入側コネクタ１３に差込まれ、これによりＵＳＢケーブル１の端子５の電極７…とアダプター１１の端子１６の電極１７…とが電気的に接続されるようになっている。
【００３２】
以上の構成によれば、ＵＳＢケーブル１およびアダプター１１に点字状突起１０，１８を設けたため、目の不自由な人でも点字を触る感覚で点字状突起１０，１８を確認でき、ＵＳＢケーブル１の差込側コネクタ３の向きおよびアダプター１１の受入側コネクタ１３の向きが容易にわかる。従って、ＵＳＢケーブル１の差込側コネクタ３の差込動作が毎日頻繁に行われても煩わしさを感じることを防止できる。
【００３３】
また、点字状突起１０は、ＵＳＢケーブル１の差込側コネクタ３の差込時に滑り止めになる。
【００３４】
なお、アダプター１１の点字状突起１８は、受入孔１５と同じ端面に設けたが、図４に示すように、アダプター１１の表側の面に設けてもよい。
【００３５】
また、ＵＳＢケーブル１の点字状突起１０およびアダプター１１の点字状突起１８の代わりに、たとえば円柱状、角柱状、円錐台状、角錐台状などの突起でもよい。これにより、摩擦係数が大きくなり、滑り止め効果を向上することができる。
【００３６】
さらに、点字状突起１０，１８は、ＵＳＢ本体２、アダプター本体１２と同一色としたが、異なる色にしてもよい。これにより、点字状突起１０，１８が見やすくなり、ＵＳＢ本体２、アダプター本体１２の表裏がわかり易くなる。
【００３７】
＜第２実施形態＞
図５は、本考案の第２実施形態に係るＵＳＢケーブル１の要部を示している。
【００３８】
この実施形態では、上述した第１実施形態の点字状突起１０の代わりに、差込側コネクタ３の差込み向きを意味する点字（第１の突起）２１が設けられている。この図５に示す点字２１は、「おもて」を意味する点字である。
【００３９】
このような構成によれば、点字２１によりＵＳＢケーブル１の表裏がさらに容易にわかる。
【００４０】
また、点字２１は、突起部分２２…の数が増えることにより、滑り止め効果が向上する。
【００４１】
＜第３実施形態＞
図６は、本考案の第３実施形態に係るＵＳＢケーブル１の要部を示している。
【００４２】
この実施形態では、点字２１（第１の突起）の突起部分２２…をシール２３上に形成した点字シール２４をＵＳＢ本体２の表側に貼付した構成となっている。
【００４３】
このような構成によれば、ＵＳＢ本体２に点字２１を後付けすることができる。
【００４４】
＜第４実施形態＞
図７は、本考案の第４実施形態に係るＵＳＢケーブル１の要部を示している。
【００４５】
この実施形態では、ＵＳＢ本体２に孔２８が開けられ、この孔２８に弾性部材（第１の突起）２５が嵌め込まれている。この弾性部材２５は、孔２８に嵌め込まれる嵌合部２６と、孔２８からはみ出てＵＳＢ本体２の表側の端面に点字２１の突起部分２２を構成する頭部２７とを有している。
【００４６】
このように構成することにより、滑り止め効果を向上することができる。
【００４７】
＜第５実施形態＞
図８は、本考案の第５実施形態に係るＵＳＢケーブル１の要部を示している。
【００４８】
この実施形態では、第２実施形態に加えて、ＵＳＢ本体２の裏側の面に、「うら」を意味する点字２１を設けた構成となっている。
【００４９】
このように構成することにより、表裏がさらにわかり易くなるだけでなく、滑り止め効果がさらに向上する。
【００５０】
＜第６実施形態＞
図９は、本考案の第６実施形態に係るＵＳＢケーブル１を示している。
【００５１】
この実施形態では、ＵＳＢ本体２の表側の面に、差込側コネクタ３のカバー６の矩形状（先端形状）の開口部８を模した矩形状の凸条部（第１の突起）３１を設けた構成となっている。
【００５２】
このように構成することにより、ＵＳＢ本体２の向きが判るだけでなく、ＵＳＢケーブル１のタイプもわかる。
【００５３】
なお、凸条部３１をシール状に設け、ＵＳＢ本体２の表側に後付けで貼付してもよい。
【００５４】
また、第２〜６実施形態では、ＵＳＢケーブル１の説明のみ行い、アダプター１１の説明を省略したが、アダプター１１もＵＳＢケーブル１と同様の突起を設けるのが好ましい。
【００５５】
さらに、上記実施形態では、ＵＳＢ機器の一例としてＵＳＢタイプＡで説明したが、本考案は、タイプＢでもよく、要するに差込み向きが決まっているＵＳＢ機器であれば適用できることは勿論である。
【符号の説明】
【００５６】
１    ＵＳＢ機器（ＵＳＢケーブル）
２    ＵＳＢ本体（本体）
３    差込側コネクタ
１０  第１の突起（点字状突起）
１１  電子機器（アダプター）
１３  受入側コネクタ
１８  第２の突起（点字状突起）
２１  第１の突起（点字）
２５  第１の突起（弾性部材）
３１  第１の突起（凸条部）
１００  ＵＳＢ接続ユニット
【図１】
0003230202.tif 000003
【図２】
0003230202.tif 000004
【図３】
0003230202.tif 000005
【図４】
0003230202.tif 000006
【図５】
0003230202.tif 000007
【図６】
0003230202.tif 000008
【図７】
0003230202.tif 000009
【図８】
0003230202.tif 000010
【図９】
0003230202.tif 000011